(57)【要約】      （修正有）【課題】収容物を確実に保持し、緩衝効果が高い包装用箱を提供する。【解決手段】一枚の箱体形成片から成り、互いに連接される側面１４，１６，１８，２０と、側面１４に連接し他の側面２０に糊付されて筒体とする糊付片２２を備える。筒体の内側には、収容物を保持する仕切り片５０を有する。仕切り片５０には、組立状態で互いに対面する一対の側面１６，１８の各々裏面に沿って側面１６，１８から各々離間する一対の保持片５２，６０を備える。保持片５２，６０の間に、収容物の側周面を面で挟持する一対の側面支持部６４，８４と、側面支持部６４，８４の下方に位置し収容物の底面を端部で保持する複数の底面支持部６８，８８を備える。複数の底面支持部６８，８８の間隔は、一対の側面保持部６４，８４の間隔より短い。【選択図】図１
2018016373.tif 000002
【特許請求の範囲】
【請求項１】
一枚の箱体形成片から成り、互いに連接される側面と、前記側面の１つに連接して設けられ他の前記側面に糊付けして筒体とする糊付片と、組立状態で連接された側面で形成される一開口端部を閉鎖する底部が設けられ、前記筒体の内側には収容物を保持する仕切り片が設けられ、前記仕切り片には、前記箱体形成片の組立状態で互いに対面する前記一対の側面の各々裏面に沿って前記側面から各々離間する一対の保持片が設けられ、前記一対の保持片の間には、収容物の側周面を面で挟持する一対の側面支持部と、前記側面支持部の下方に位置し収容物の底面を端部で保持する複数の底面支持部が設けられ、前記複数の底面支持部の間隔は、前記一対の側面保持部の間隔より短いことを特徴とする包装用箱。
【請求項２】
前記一対の保持片は互いに平行に設けられ、前記保持片の少なくとも一方は、複数の部材が重ねられて多層構造となっている請求項１記載の包装用箱。
【請求項３】
前記仕切り片の下方の端部は、箱体の前記底部付近に達し、上方の端部は前記底部と反対側の上方の開口部付近に達する請求項１記載の包装用箱。
【請求項４】
前記仕切り片は、前記糊付片の側縁部に連接して設けられ、前記仕切り片は箱体形成片の展開状態で、各側面の連接方向に沿って反対側に、前記一側面の裏面に沿う前記保持面である第１保持片と、前記第１保持片に交差する他の前記側面に糊付けされる糊付部と、前記第１保持片に対して平行に位置する前記保持面である第２保持片と、前記第２保持片に対して略直角に連続する前記一方の側面支持部と、前記第１保持片に糊付けされる糊付部と、前記第１保持片と前記糊付部の間に糊付けされる前記保持片である第３保持片と、前記第３保持片に対して略直角に連続する前記他方の側面支持部と、前記第２保持片に糊付けされる糊付部が順に連接して折罫線で区切られて設けられ、前記一対の側面支持部の下方には、前記底面支持部が各々設けられ、連接方向に対して直角な方向に二段になっている請求項１記載の包装用箱。
【請求項５】
前記箱体形成片の展開状態では、前記側面支持部と前記底面支持部の間には透孔が形成され、前記側面支持部の両側縁部に位置する前記折罫線と、前記底面支持部の両側縁部に位置する前記折罫線は、前記透孔を挟んで、他の部材との連接方向にずれて設けられている請求項１または４記載の包装用箱。
【発明の詳細な説明】
【技術分野】
【０００１】
この発明は、内側に緩衝用仕切りが一体に設けられ、瓶などの収容物を保護する緩衝機能付の包装用箱に関する。
【背景技術】
【０００２】
従来、ブランクシートから一体的に打ち抜かれた箱体形成片を折り曲げて糊付けし、ワンタッチで引き起こして組み立てられる包装用箱がある。また、ガラス瓶等の衝撃に弱い収容物を包装する包装用箱の場合、収容物を保持するための緩衝用の仕切り片も箱体形成片に一体に設けられている場合がある。
【０００３】
例えば、特許文献１に開示されている包装用箱は、一枚のブランクシートから一体的に打ち抜かれた箱体形成片からなり、連接された第一側面板、正面板、第二側面板、背面板で外側筒状体を構成している。外側筒状態の内側には、背面板の端辺から第三側面板を介して連接された正面仕切板、第二仕切板、背面仕切板及び第一仕切部で囲まれた収容部が、外側筒状体と隙間を開けて対面して設けられている。さらに、収容部の下側開口部に、収容物支持部が横切るように位置している。
【先行技術文献】
【特許文献】
【０００４】
【特許文献１】特開２０１２−６６４６号公報
【発明の概要】
【発明が解決しようとする課題】
【０００５】
上記背景技術の場合、収容部を形成する周壁は、各部材が１重で形成しているため、薄く、収容物の側周面を保護する緩衝機能が十分ではない。また、収容物の底面を保護する収容支持部は１枚しか設けられておらず、緩衝機能が十分ではない。
【０００６】
この発明は、上記背景技術の問題点に鑑みてなされたものであり、収容物を確実に保持し、緩衝効果が高い包装用箱を提供することを目的とする。
【課題を解決するための手段】
【０００７】
本発明は、一枚の箱体形成片から成り、互いに連接される側面と、前記側面の１つに連接して設けられ他の前記側面に糊付けして筒体とする糊付片と、組立状態で連接された側面で形成される一開口端部を閉鎖する底部が設けられている包装用箱である。前記筒体の内側には収容物を保持する仕切り片が設けられ、前記仕切り片には、前記箱体形成片の組立状態で互いに対面する前記一対の側面の各々裏面に沿って前記側面から各々離間する一対の保持片が設けられ、前記一対の保持片の間には、収容物の側周面を面で挟持する一対の側面支持部と、前記側面支持部の下方に位置し収容物の底面を端部で保持する複数の底面支持部が設けられている。前記複数の底面支持部の間隔は、前記一対の側面保持部の間隔より短い。
【０００８】
前記一対の保持片は互いに平行に設けられ、前記保持片の少なくとも一方は、複数の部材が重ねられて多層構造となっている。また、前記一対の側面支持部と前記一対の前記底面支持部は、前記一対の保持片に対して略直角に位置している。前記仕切り片の下方の端部は、箱体の前記底部付近に達し、上方の端部は前記底部と反対側の上方の開口部付近に達するものである。
【０００９】
前記仕切り片は、前記糊付片の側縁部に連接して設けられ、前記仕切り片は箱体形成片の展開状態で、各側面の連接方向に沿って反対側に、前記一側面の裏面に沿う前記保持面である第１保持片と、前記第１保持片に交差する他の前記側面に糊付けされる糊付部と、前記第１保持片に対して略平行に位置する前記保持面である第２保持片と、前記第２保持片に対して直角に連続する前記一方の側面支持部と、前記第１保持片に糊付けされる糊付部と、前記第１保持片と前記糊付部の間に糊付けされる前記保持片である第３保持片と、前記第３保持片に対して略直角に連続する前記他方の側面支持部と、前記第２保持片に糊付けされる糊付部が順に連接して折罫線で区切られて設けられている。前記一対の側面支持部の下方には、前記底面支持部が各々設けられ、連接方向に対して直角な方向に二段になっている。
【００１０】
前記箱体形成片の展開状態では、前記側面支持部と前記底面支持部の間には透孔が形成され、前記側面支持部の両側縁部に位置する前記折罫線と、前記底面支持部の両側縁部に位置する前記折罫線は、前記透孔を挟んで、他の部材との連接方向にずれて設けられている。
【発明の効果】
【００１１】
本発明の包装用箱は、収容物を確実に保持し、緩衝効果が高いものである。さらに、収容物の側周面を保持する周壁は、各部材が重なる多層構造となって厚みがあり、緩衝効果が高く、強度も高い。収容物の底面を保持する底面支持部は複数個設けられているため、緩衝効果が高く、破損を防ぎ、安全に包装することができる。
【図面の簡単な説明】
【００１２】
【図１】この発明の一実施形態の包装用箱の斜視図である。
【図２】この実施形態の包装用箱の上面図である。
【図３】この実施形態の包装用箱の展開図である。
【図４】この実施形態の包装用箱の組立工程の途中の状態を示す展開図である。
【図５】この実施形態の包装用箱の組立工程の途中の状態を示す展開図である。
【図６】この実施形態の包装用箱の組立工程の途中の状態を示す展開図である。
【発明を実施するための形態】
【００１３】
以下、この発明の実施形態について図面に基づいて説明する。図１〜図３はこの発明の一実施形態を示すもので、この実施形態の包装用箱１０は、紙製等の一枚のブランクシートを打ち抜いて形成された箱体形成片１２を組み立てて設けられている。
【００１４】
図３は、箱体形成片１２を表面から見た展開図であり、箱体形成片１２は、側面１４，１６，１８，２０が、互いに平行に連接して形成されている。側面１４，１６，１８，２０は、連接方向と直交する幅方向は互いに等しい矩形であり、連接方向の長さは、側面１４，１８が長く、側面１６，２０は短い。側面１４の側縁部には、包装用箱１０の組立状態で側面２０の裏面に糊付けされ筒体とする糊付片２２が設けられている。糊付片２２、側面１４，１６，１８，２０は、各々折罫線２４，２６，２８，３０で区切られている。
【００１５】
側面１４の、側面同士の連接方向に対して直角な方向の両端部には、矩形の内蓋片３２が折罫線３４で区切られて設けられている。側面１６の、側面同士の連接方向に対して直角な方向の両端部には、内蓋片３２よりも小さい矩形のフラップ３６が折罫線３８で区切られて設けられている。
【００１６】
側面１８の、側面同士の連接方向に対して直角な方向の両端部には、内蓋片３２よりも大きい矩形の外蓋片４０が折罫線４２で区切られて設けられている。折罫線４２は、中心部分は押し罫線で形成され、両端部分は破断線で形成されている。側面１８には、折罫線４２に連続する部分に、コの字の開封用の切断線４４が設けられている。切断線４４の両端部は、折罫線４２の破断線に連続し、切断線４４と、折罫線４２の中心部分で囲まれた矩形の部分は、開封する時に押して切断線４４と折罫線４２を切断する開封口となる。切断線４４は、コの字形ではなく半円形状等でもよい。
【００１７】
側面２０の、側面同士の連接方向に対して直角な方向の両端部には、フラップ３６と同形状のフラップ４６が折罫線４８で区切られて設けられている。
【００１８】
糊付片２２は、折罫線２４に対して直角な長さは、組立状態で糊付けされる側面２０より短く形成されている。折罫線２４に対して平行な長さは、折罫線２４に連続する部分では側面１４と同じであり、側面１４と反対側の側縁部２２ａは、それより短く形成され、糊付片２２は変形した６角形に形成されている。糊付片２２の、折罫線２４に交差する一方の端部２２ｂは、包装用箱１０の組立状態で、箱体の底部側に位置するものであり、側面１４の折罫線３４の下端部から、折罫線３４の延長線上よりもわずかに糊付片２２の中心へ移動する方向に傾斜し、途中で折り曲げられて折罫線３４に対して平行となり、側縁部２２ａの下端部に連続する。端部２２ｂと反対側の端部２２ｃは、包装用箱１０の組立状態で、箱体の上方の開口部側に位置するものであり、側面１４の折罫線３４の上端部から、折罫線３４の延長線上よりもわずかに糊付片２２の中心へ移動する方向に傾斜し、途中で折り曲げられてさらに折罫線３４から離れる角度が大きい傾斜になり、側縁部２２ａの上端部に連続する。
【００１９】
糊付片２２の側縁部２２ａには、緩衝用の仕切り片５０が設けられている。仕切り片５０は、包装用箱１０の組立状態で箱体の内側に立体的に組み立てられるものである。仕切り片５０は、各側面の連接方向に沿って反対側に、第１保持片５２、糊付部５６、第２保持片６０、側面支持部６４、糊付部７４、第３保持片８０、側面支持部８４、糊付部９４が順に連接して設けられている。連接方向は、各側面が互いに連接する方向に対して、平行である。なお、側面支持部６４の下方には底面支持部６８が設けられ、側面支持部８４の下方には底面支持部８８が設けられ、この２か所は二段になっている。各部材の、互いに連続する端部は、箱体の底部側は端部２２ｂの延長線上に位置している。反対側の箱体の上方の開口部側は、部材により異なるものである。
【００２０】
次に、仕切り片５０の各部材について詳しく説明する。糊付片２２の側縁部２２ａに隣接する部分には、第１保持片５２が折罫線５４で区切られて位置している。第１保持片５２は、折罫線５４に対して直角な長さは折罫線５４より長く、折罫線５４に対して平行な長さは側面１４，１８とほぼ同じである。上方に位置する端部５２ａは、折罫線５４の上端部よりも高い位置に設けられ、側面１４の折罫線３４の延長線の近傍に達している。第１保持片５２の下方に位置する端部５２ｂは糊付片２２の端部２２ｂの延長線に一致している。
【００２１】
第１保持片５２の、折罫線５４と反対側の側縁部には、糊付部５６が折罫線５８で区切られて位置している。糊付部５６は、折罫線５８に対して直角な長さは組立状態で糊付けされる側面１６より短く、さらに糊付片２２より少し短く、折罫線５８に対して平行な長さは糊付片２２の側縁部２２ａと同じである長方形である。第１保持片５２の上方の端部５２ａが側面１４の折罫線３４の延長線付近に位置していることと比較して、糊付部５６の上方の端部５６ａは低い位置にある。糊付部５６の下方の端部５６ｂは、端部５２ｂの延長線に一致している。
【００２２】
糊付部５６の、折罫線５８と反対側の側縁部には、第２保持片６０が折罫線６２で区切られて位置している。第２保持片６０の、上方の端部６０ａは糊付部５６の端部５６ａの延長線上に位置し、下方の端部６０ｂは糊付部５６の下方の端部５６ｂの延長線上に位置する直線である。折罫線６２とは反対側の側縁部は２か所で折り曲げられた３本の直線で形成され、第２保持片６０は６角形となっている。折罫線６２とは反対側の側縁部のうち、端部６０ａに連続する側縁部６０ｃは、折罫線６２に対して平行で折罫線６２の半分より少し長い直線である。側縁部６０ｃの下端部に連続する側縁部６０ｄは、側縁部６０ｃから離れるにつれて第２保持片６０の内側へ向かう傾斜した短い直線である。側縁部６０ｄの下端部に連続する側縁部６０ｅは、折罫線６２に対して平行で側縁部６０ｃより短く側縁部６０ｄより長い直線であり、端部６０ｂの端部に連続している。第２保持片６０は、折罫線６２に対して直角な長さは、折罫線６２から側縁部６０ｃまで、つまり端部６０ａの長さが、組立状態で平行に位置する第１保持片５２よりも短く、折罫線６２から側縁部６０ｅまで、つまり端部６０ｂの長さはそれより短い。
【００２３】
第２保持片６０の側縁部６０ｃには、側面支持部６４が折罫線６６で区切られて設けられている。側面支持部６４は、側縁部６０ｃ、つまり折罫線６６を一辺とする小さい矩形である。折罫線６６に対して直角な長さは、組立状態で平行に位置する糊付部５６と同じである。第２保持片６０の側縁部６０ｅには、底面支持部６８が折罫線７０で区切られて設けられている。底面支持部６８は、側縁部６０ｅ、つまり折罫線７０を一辺とする小さい矩形である。折罫線７０に対して直角な長さは、側面支持部６４と同じである。第２保持片６０の側縁部６０ｄには、透孔７２が設けられている。透孔７２は、側面支持部６４の下端部と、底面支持部６８の上端部を平行な２辺とする平行四辺形状に形成されている。側縁部６０ｄは側面支持部６４の下端に交差する辺であり、側縁部６０ｄと反対側の辺は、透孔７２の内側へ膨出するようにわずかにくの字形に折り曲げられている。なお、底面支持部６８の上端部は、透孔７２により僅かに台形状の凹部になっている。
【００２４】
側面支持部６４、底面支持部６８、透孔７２の、第２保持片６０とは反対側の側縁部には、糊付部７４が設けられている。糊付部７４は、側面支持部６４との間は折罫線７６で区切られ、底面支持部６８との間は折罫線７８で区切られている。糊付部７４の、上方の端部７４ａは側面支持部６４の上方の端部よりも高い位置に設けられ、第１保持片５２の端部５２ａの延長線とほぼ同じか僅かに低い位置にある。下方の端部７４ｂは底面支持部６８の下方の端部の延長線に一致している。折罫線７６，７８とは反対側の側縁部７４ｃは、折罫線７６，７８に対して平行な直線である。糊付部７４は、折罫線７６に対して直角な長さは、組立状態で糊付けされる第１保持片５２より短く、第１保持片５２から、第２保持片６０の、折罫線６２と折罫線６６の間隔を引いたものである。折罫線７８に対して直角な長さは、それよりも長く、第１保持片５２から、第２保持片６０の、折罫線６２と折罫線７０の間隔を引いたものである。
【００２５】
糊付部７４の側縁部７４ｃには、第３保持片８０が、折罫線８２で区切られて設けられている。第３保持片８０の、上方の端部８０ａは、糊付部７４の端部７４ａの延長線上に位置し、下方の端部８０ｂは、糊付部７４の端部７４ｂの延長線上に位置する直線である。折罫線８２とは反対側の側縁部は２か所で折り曲げられた３本の直線で形成され、第３保持片８０は６角形となっている。折罫線８２とは反対側の側縁部のうち、端部８０ａに連続する側縁部８０ｃは、折罫線８２に対して平行で折罫線８２の半分より少し長い直線である。側縁部８０ｃの下端部に連続する側縁部８０ｄは、側縁部８０ｃから離れるにつれて第３保持片８０の内側へ向かう傾斜した短い直線である。側縁部８０ｄの下端部に連続する側縁部８０ｅは、折罫線８２に対して平行で側縁部８０ｃより短く側縁部８０ｄより長い直線であり、端部８０ｂの端部に連続している。第３保持片８０は、折罫線８２に対して直角な長さは、折罫線８２から側縁部８０ｃまで、つまり端部８０ａの長さが、組立状態で平行に位置する第１保持片５２よりも短く、折罫線８２から側縁部８０ｅまで、つまり端部８０ｂの長さはそれより短い。
【００２６】
第３保持片８０の側縁部８０ｃには、側面支持部６４と同形状の側面支持部８４が折罫線８６で区切られて設けられている。第３保持片８０の側縁部８０ｅには、底面支持部６８と同形状の底面支持部８８が折罫線９０で区切られて設けられている。第３保持片８０の側縁部８０ｄには、透孔７２と同形状の透孔９２が設けられている。
【００２７】
側面支持部８４、底面支持部８８、透孔９２の、第３保持片８０とは反対側の側縁部には、糊付部７４とほぼ同形状の糊付部９４が設けられている。糊付部９４の上方の端部９４ａは、側面支持部８４の上方の端部の延長線上に位置し、糊付部７４の上方の端部７４ａが第１保持片５２の端部５２ａの延長線付近に位置していることと比較して、低い位置にある。糊付部９４下方の端部は、底面支持部８８の下方の端部の延長線上に位置している。
【００２８】
なお、上記の各折罫線には、折り曲げやすくするために、破断線が設けられてもよい。また、各部材に複数本の押し罫線が互いに平行に設けられて、補強されてもよい。
【００２９】
次に、この実施形態の包装用箱１０の組立方法の一例について説明する。ここでは、図３が包装用箱１０の箱体形成片１２の表面を見たものであり、箱体形成片１２の表面が凸になる折り方を正折り、そして、裏面が凸になる折り方を逆折りと称する。
【００３０】
まず、糊付部９４の裏面に糊１００を塗布し、糊付部７４の裏面に糊１０２を塗布し、折罫線８２を正折りする。これにより、糊付部９４は第２保持片６０の、折罫線６２近傍の裏面に糊付けされ、また、糊付部７４は、第３保持片８０の、折罫線８２近傍の裏面に糊付けされ、図４に示す状態となる。なお、図４は箱体形成片１２の裏面を見たものであり、折り返された糊付部９４、側面支持部８４、底面支持部８８、第３保持片８０は、表面が見えている。そして、第３保持片８０の表面の折罫線８２近傍に糊１０４を塗布し、折罫線６２を正折りする。これにより、第３保持片８０は、第１保持片５２の、折罫線５４近傍の裏面に糊付けされ、図５に示す状態となる。なお、図５は箱体形成片１２の裏面を見たものであり、折り返された糊付部７４、側面支持部６４、底面支持部６８、第２保持片６０は、表面が見えている。次に、折罫線５４を正折りし、糊付部５６の表面に糊１０６を塗布し、図６に示す状態にする。そして、折罫線２６を正折りして糊付部５６は側面１６の、折罫線２６近傍の裏面に糊付けされる。糊付片２２の、折罫線２４近傍の表面に糊１０８を塗布し、折罫線３０を正折りし、糊付片２２は、側面２０の、折罫線３０と反対側の側縁部近傍の裏面に、糊付けされる。これにより箱体形成片１２は折り畳み状態となり、この折り畳んだ状態で出荷される。
【００３１】
次に、収容物を収容し包装する工場等において、折罫線２４，２６，２８，３０を各々９０°に正折りして四角形の筒体にする。この時、仕切り片５０は自動的に引き起こされ、図２に示すように、折罫線５４，５８，６２，６６，７０，８６，９０が９０°に正折りされ、折罫線７６，７８，９６，９８が９０°に逆折りされる。なお、折罫線８２は正折りで糊付けされているため、折り畳まれたままである。これにより第１保持片５２は、側面１８の裏面側に離間して側面１８に対して平行に位置し、第２保持片６０は、側面１４の裏面側に離間して側面１４に対して平行に位置する。つまり、第１保持片５２と第２保持片６０は、互いに離間して平行となる。第１保持片５２と第２保持片６０の間には、上側に、側面支持部６４，８４が互いに離間して平行となり、第１保持片５２と第２保持片６０に対して直角となる。側面支持部６４，８４の下側には、底面支持部６８，８８が、側面支持部６４，８４の間隔よりも狭い間隔で互いに離間して平行となり、第１保持片５２と第２保持片６０に対して直角となる。図２に示すように、上から見て、側面支持部６４，８４の間に底面支持部６８，８８が位置している。第２保持片６０、側面支持部６４、第３保持片８０、側面支持部８４で形成された筒体は、収容物を収容する周壁となる。周壁の一部である第３保持片８０は、第１保持片５２と糊付部７４に挟まれて両面が糊付けされ、多層構造になっている。
【００３２】
側面１４，１６，１８，２０で作られた筒体の底部側の端部で、折罫線３８，４８でフラップ３６，４６を正折りし、その後折罫線３４で内蓋片３２を正折りし、外蓋片４０の裏面に糊１１２を塗布し、折罫線４２で外蓋片４０を正折りし、内蓋片３２の表面に外蓋片４０の裏面を糊付けして底部を形成する。この状態で、図示しない収容物を包装用箱１０の中に入れる。収容物は、第２保持片６０、側面支持部６４、第３保持片８０、側面支持部８４で形成された筒体に上方から差し込み、底面支持部６８，８８の、上方の端部に当接してセットされる。なお、第２保持片６０、側面支持部６４、第３保持片８０、側面支持部８４で形成された筒体は、収容物の側周面を僅かなゆとりを有して嵌合する大きさである。一対の底面支持部６８，８８の間隔は、収容物の底面よりも狭い幅で対面し、収容物の底面が落下することがない。また、底面支持部６８，８８の上方の端部は台形状に僅かに切り欠かれているため、両端部が傾斜しており、収容物の底部の周縁部を斜め下方から当接し、安定させる。
【００３３】
次に、側面１４，１６，１８，２０で作られた筒体の、上方の開口部で、折罫線３８，４８でフラップ３６，４６を正折りし、その後折罫線３４で内蓋片３２を正折りし、外蓋片４０の裏面に糊１１４を塗布し、折罫線４２で外蓋片４０を正折りし、内蓋片３２の表面に外蓋片４０の裏面を糊付けし閉鎖する。
【００３４】
この実施形態の包装用箱１０によれば、収容物を確実に保持し、緩衝効果が高いものである。収容物の側周面を保持する周壁である第３保持片８０が、第１保持片５２と糊付部７４に挟まれて糊付けされ、多層構造になって厚みがあり、保形性が高く耐久性があり、緩衝効果が高い。収容物の底面を保持する底面支持部６８，８８は、収容物の底面よりも狭い幅で設けられているため、２個で確実に保持して収容物の底面が落下することがなく、破損を防ぎ、安全に包装することができる。収容物の側周面を保持する周壁は、各側面の内側に空間を設けて位置するため、外部からの衝撃に強い。また、各側面を立体形状に引き起こす時に仕切り片５０も自動的に引き起こされ、簡単に立体形状とすることができる。
【００３５】
この他、箱体形成片１２の展開状態では、側面支持部６４と底面支持部６８の間には透孔７２が設けられ、側面支持部８４と底面支持部８８の間には透孔９２が設けられているため、仕切り片５０を立体的に引き起こす時に互いに引っ掛かることがなく、円滑に組み立てられる。また、側面支持部６４の両側縁部に位置する折罫線６６，７６と、底面支持部６８の両側縁部に位置する折罫線７０，７８は、平行方向に互いに所定間隔ずれて設けられているため、立体に組み立てた時に所定距離ずれた位置に確実組み立てられるものである。仕切り片５０の各部材は各側面の連接方向に連続して設けられているため、所定の位置に糊付けして所定の折罫線を順番に折るだけで、簡単に糊付けが完了し、折り畳み状態を作ることができ、作業効率が良好である。また、自動包装で製造することができる。仕切り片５０の、第１保持片５２や糊付部７４、第３保持片８０の上方の端部５２ａ，７４ａ，８０ａは、側面１４の折罫線３４に達するように高く設けられ、収容物がバイアルの場合は、開封時にバイアルのキャップの引っ掛けを防止することができ、取り出す操作が容易である。第１保持片５２と側面１８の間や、第２保持片６０と側面１４の空間は、各側面の連接方向に長く設けられ、ここに収容物についての取扱説明書等を入れることができ、便利である。
【００３６】
なお、この発明の包装用箱は、上記実施形態に限定されるものではなく、各部材の形状は収容物の形状や数に合わせて適宜変更可能である。仕切り片の、第１保持片や第３保持片の端部は他の部材の端部より高く設けられているが、その他の部材も高くしてもよい。箱体の底部や蓋部の構造や、開封用の切断線の形状や設ける位置は、自由に変更可能である。
【符号の説明】
【００３７】
１０  包装用箱
１２  箱体形成片
１３  底部
１４，１６，１８，２０  側面
２２  糊付片
２２ａ  側縁部
５０  仕切り片
５２  第１保持片
５２ａ，７４ａ，８０ａ  端部
５６，７４，９４  糊付部
６０  第２保持片
６４，８４  側面支持部
６６，７０，７６，７８，８６，９０，９６，９８  折罫線
６８，８８  底面支持部
７２，９２  透孔
８０  第３保持片
【図１】
2018016373.tif 000003
【図２】
2018016373.tif 000004
【図３】
2018016373.tif 000005
【図４】
2018016373.tif 000006
【図５】
2018016373.tif 000007
【図６】
2018016373.tif 000008